(57)【要約】【課題】球詰まりが発生しにくく、球が円滑に払い出されるようにする。【解決手段】収容部９の引込側部分９Ｂにおける球入口８の後には底面４が配置されることなく鉛直面７が配置された構造であるので、球Ｐ１が払出体１２によって収容部９の押出側部分９Ａから上方に押し出されて球Ｐ２を矢印Ｘ５で示すように押し上げ、当該球Ｐ２が隣接する球Ｐ３を矢印Ｘ６で示すように前から後に押すと、当該Ｐ３が鉛直面７に受け止められるというように、払出体１２によって収容部９の押出側部分９Ａから上方に押し出された球が鉛直面７に受け止められて鉛直面７から収容部９の引込側部分９Ｂに取り込まれ、払出体１２による攪拌の及ぶ範囲が狭くなるから、収容部９に球詰まりが発生しにくく、払出モータ１３の負担が軽減され、払出体１２が球を円滑に払い出す。【選択図】図１
2008246108.tif 000002
【特許請求の範囲】
【請求項１】
タンクの底部には払出機構が設けられ、払出機構の払出モータが駆動し、払出機構の払出体が一方向に回転されると、球が払出体の収容された収容部の押出側部分と引込側部分とから外部に払い出される遊技機の球払出装置において、収容部の引込側部分にはタンクの球と接触する底面が配置されることなく鉛直面が配置されたことを特徴とする遊技機の球払出装置。
【発明の詳細な説明】
【技術分野】
【０００１】
本発明は、球詰まりが発生しにくく、球が円滑に払い出される遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図４は、特許文献１で開示された球払出装置を示す。図４のａ図において、タンク２の底部には、払出機構３が設けられる。そして、払出機構３が停止した状態において、パチンコ球と呼ばれる球がタンク２に貯蔵される。その状態において、払出機構３が駆動すると、払出体１２が払出モータ１３によって矢印Ｗで示す方向に回転され、球が矢印Ｘ７で示すように球出口１０から下方外部に払い出される。図４のｂ図において、払出体１２が矢印Ｗで示す方向に回転するように駆動された場合、収容部９の払出体１２を境とする後部分は、払出体１２が球を収容部９から上方に押し出す、押出側として構成され（以下、収容部９の押出側部分９Ａと称する）。収容部９の払出体１２を境とする前部分は、払出体１２が球を球入口８から下方に引き込む、引込側として構成される（以下、収容部９の引込側部分９Ｂと称する）。しかしながら、球入口８の前後にも底面４が配置される構造である。このため、球Ｐ１が払出体１２によって収容部９の押出側部分９Ａから上方に押し出されて球Ｐ２を矢印Ｘ８で示すように押し上げ、当該球Ｐ２が隣接する球Ｐ３を矢印Ｘ９で示すように後から前方に押し、当該Ｐ３が前の底面４の上に逃げる。つまり、払出体１２によって収容部９の押出側部分９Ａから上方に押し出された球が球入口８から前後の底面４の方に逃げやすく、払出体１２による攪拌の及ぶ範囲が広いから、払出モータ１３に負担がかかり過ぎ、球詰まりを発生しやすいという欠点がある。
【特許文献１】特開平８−１０４１５号公報
【特許文献２】特開平１０−２０１９１６号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機の球払出装置は、タンクの底部には払出機構が設けられ、払出機構の払出モータが駆動し、払出機構の払出体が一方向に回転されると、球が払出体の収容された収容部の押出側部分と引込側部分とから外部に払い出される遊技機の球払出装置において、収容部の引込側部分にはタンクの球と接触する底面が配置されることなく鉛直面が配置されたことを最も主要な特徴とする。
【発明の効果】
【０００５】
本発明に係る遊技機の球払出装置は、払出体によって収容部の押出側部分から上方に押し出され球がタンクの底面に逃げることがなく鉛直面に受け止められて鉛直面から収容部の引込側部分に取り込まれ、払出体による攪拌の及ぶ範囲が狭くなるから、収容部に球詰まりが発生しにくく、払出モータの負担が軽減され、球が円滑に払い出されるという利点がある。
【発明を実施するための最良の形態】
【０００６】
図１および図２は、発明を実施するための最良の形態である。図１のａ図は、球払出装置１の平面を示す。図１のｂ図は、図１のａ図をＡ−Ａ線に沿い切断した断面を示す。図２は、パチンコ遊技機を示す。本明細書において、「前」、「後」、「左」、「右」、「上」、「下」の方向は、図２の状態に遊技機枠２１を置いて矢印Ｓで示す前側から見た場合に特定される方向である。
【０００７】
図１を参照し、遊技機の球払出装置１について説明する。図１のａ図において、球払出装置１は、タンク２の底部に払出機構３を備える。タンク２は、上方に開口した箱形の球貯蔵室を内部に構成する。タンク２の球貯蔵室における球と接触する底面４は、球を矢印Ｘ１で示す方向たる左から右に向けて流下させるというように、球を払出機構３の球入口８に向けて流下させる斜面を構成する。底面４の球入口８よりも前の部分は、球を矢印Ｘ２で示す方向たる前から後に向けて流下させるというように、球を払出機構３の球入口８に向けて流下させる斜面を構成する。
【０００８】
タンク２の内部には、障壁５が設けられる。障壁５は、球入口８の後縁と左縁後部とを囲むよう、タンク２の底面４とタンク２の後壁およびタンク２の右壁から球貯蔵室に突出する。障壁５の左面は、左から右に行くにしたがって球をタンク２の後壁の方から球入口８の方に誘導する斜面６として構成される。斜面６における球入口８の端部が払出体１２と対応する位置に配置されたことによって、障壁５が収容部９の左から収容部９の払出体１２を境とする後部分への球の進路を塞ぎ、球が収容部９の左から収容部９の払出体１２を境とする後部分に入らないようになる。障壁５における球入口８の後縁と左縁後部とに繋がる部分の面は、収容部９の後面と左面とから上方に延びる鉛直面７として構成される。
【０００９】
つまり、タンク２における球貯蔵室の前後幅が障壁５によって球入口８に向けて絞られたので、タンク２の底面４を流下する球が多量に球入口８に集中せず、払出モータ１３に負担がかかり過ぎることがなく、球詰まりも発生しにくく、払出体１２が球を円滑に払い出すことができるという利点がある。障壁５の上面は、球を矢印Ｘ３で示す方向たる右から左に向けて流下させる斜面を構成する。よって、球が障壁５の上面から球入口８に落下することなくタンク２の底面４に落下するので、払出モータ１３への負担を軽減することができるという利点がある。
【００１０】
よって、タンク２における球貯蔵室の前後幅が払出機構３の球入口８に向けて絞られ、タンク２の底面４が球を球入口８に向けて流下させる斜面を構成し、斜面６が球を球入口８に向けて斜めに誘導するので、タンク２の底面４を流下する球が多量に球入口８に集中せず、払出モータ１３への負担が軽減され、払出機構３での球詰まりも発生しにくく、払出体１２が球を円滑に払い出すことができるという利点がある。
【００１１】
また、タンク２における球貯蔵室の前後幅が払出機構３の球入口８に向けて絞られ、タンク２の底面４が球を球入口８に向けて流下させる斜面を構成し、払出体１２が球を収容部９の球出口１０に向けて移動するので、払出体１２がタンク２の球貯蔵室の球から受ける球圧の方向と球を移動する方向とが互いに同じ方向となり、払出モータ１３の負担が軽減し、球詰まりが発生しなくなり、球が適切に払い出されるという利点がある。
【００１２】
払出機構３は、タンク２の右端部に設けられ、球入口８、収容部９、球出口１０、庇１１、払出体１２、払出モータ１３、筐体１４を備える。球入口８は、タンク２の底面４に上下方向への貫通孔として設けられる。収容部９は、球入口８の周縁部から下方への窪みとして、タンク２の底面４から下方に突出する。球出口１０は、収容部９の右部における底部に上下方向への貫通孔として形成される。庇１１は、球入口８における球出口１０の側の部分を塞ぐように、タンク２の底部に設けられる。
【００１３】
払出体１２は、収容部９に収容され、払出軸１５および螺旋体１６を備えた螺旋構造体である。払出軸１５は、左右方向に直線的に延びる丸棒により構成される。螺旋体１６は、払出軸１５の左右方向に延びる軸心と平行な方向に球を１個ずつ分離する間隔で、払出軸１５の外周面から径方向外側に螺旋形状に突出する。払出モータ１３は、筐体１４に収容される。筐体１４は、タンク２の右壁の外面に固定される。払出モータ１３の出力軸には、払出体１２が連結される。
【００１４】
そして、タンク２が遊技機枠２１の可動枠２３の後部に取り付けられ、払出機構３が停止した状態において、遊技機枠２１の設置された図外の遊技機設置構造体の補給機構から排出されたパチンコ球と呼ばれる球がタンク２に上方から貯蔵されると、球がタンク２から球入口８を経由して収容部９の押出側部分９Ａと引込側部分９Ｂとに進入して収容部９と払出体１２との隙間に１個ずつ分離されて取り込まれる。その状態において、払出モータ１３が払出体１２を払出軸１５の周方向の矢印Ｗで示す一方向に回転するように駆動するのに伴い、螺旋体１６が収容部９の押出側部分９Ａと引込側部分９Ｂとの球を１個ずつ分離したまま矢印Ｘ４で示すように左から右の方に移動する。右の方に移動した球は、払出体１２の駆動に伴い、庇１１の下に潜り込んで球出口１０から下方に払い出される。
【００１５】
図１のｂ図において、払出体１２が矢印Ｗで示す方向に回転するように駆動された場合、収容部９の払出体１２を境とする前部分は、払出体１２が球を収容部９から上方に押し出す、押出側として構成される（以下、収容部９の押出側部分９Ａと称する）。収容部９の払出体１２を境とする後部分は、払出体１２が球を球入口８から下方に引き込む、引込側として構成される（以下、収容部９の引込側部分９Ｂと称する）。つまり、収容部９の押出側部分９Ａでは、球が矢印Ｗで示す方向に駆動された払出体１２によってタンク２から収容部９に取り込まれにくい。収容部９の引込側部分９Ｂでは、球が矢印Ｗで示す方向に駆動された払出体１２によってタンク２から収容部９に取り込まれやすい。
【００１６】
収容部９の押出側部分９Ａにおける球入口８の前にも底面４が配置されたものの、収容部９の引込側部分９Ｂにおける球入口８の後には底面４が配置されることなく鉛直面７が配置された構造である。このため、球Ｐ１が払出体１２によって収容部９の押出側部分９Ａから上方に押し出されて球Ｐ２を矢印Ｘ５で示すように押し上げ、当該球Ｐ２が隣接する球Ｐ３を矢印Ｘ６で示すように前から後に押すと、当該Ｐ３が鉛直面７に受け止められる。つまり、払出体１２によって収容部９の押出側部分９Ａから上方に押し出された球が鉛直面７に受け止められて鉛直面７から収容部９の引込側部分９Ｂに取り込まれ、払出体１２による攪拌の及ぶ範囲が狭くなるから、収容部９に球詰まりが発生しにくく、払出モータ１３の負担が軽減され、払出体１２が球を円滑に払い出すことができるという利点がある。
【００１７】
図２を参照し、球払出装置１を備えた遊技機としてパチンコ遊技機を例示して説明する。パチンコ遊技機は、遊技機枠２１の内部に図外の遊技盤を交換可能に取り付ける形態である。遊技機枠２１は、固定枠２２の前部に可動枠２３を開閉可能に備え、可動枠２３の前部に上扉２４および下扉２５を開閉可能に備える。固定枠２２は、遊技機設置設備に固定される外枠とも呼ばれる。遊技機設置設備は、パチンコ遊技機を設置する遊技店の島と呼ばれる設備である。可動枠２３は、遊技盤や図外の制御装置など遊技に必要な部品を取り付ける前枠とも呼ばれ、左側に位置するヒンジ２６を中心とし、固定枠２２の前で前方に開かれかつ後方に閉じられるように、片開き可能であって、盤設置構造体２７および発射機構２８を備える。盤設置構造体２７は遊技盤を装着するための部材である。発射機構２８は、盤設置構造体２７の下部前面に取り付けられる。
【００１８】
発射機構２８は、下扉２５が閉じられて可動枠２３に開閉不能に支持された場合、下扉２５で覆い隠される。可動枠２３には、球払出装置１、図外の施錠装置なども設けられる。上扉２４は、左側に位置するヒンジ２９を中心とし、可動枠２３の前で前方に開かれかつ後方に閉じられるように、片開き可能である。上扉２４には、窓３０および前面パネル３１が設けられる。窓３０は、前後方向への貫通孔として構成される。前面パネル３１は、窓３０を後から塞ぐ大きさのガラスまたは合成樹脂からなる光透過性の有る無色な板状に構成される。下扉２５には、受皿３２、発射操作機構３３、供給口３４、取入口３５が設けられる。
【００１９】
遊技盤が盤設置構造体２７に装着され、可動枠２３が閉じられて固定枠２２に開閉不能に支持され、上扉２４が閉じられて可動枠２３に開閉不能に支持されると、前面パネル３１と遊技盤の前面との間における図外のガイドレールで囲まれた部分が発射機構２８から発射された球の飛び交う遊技領域になる。ガイドレールは、上扉２４または前面パネル３１または遊技盤に設けられる。遊技領域は、遊技機枠２１の前から窓３０および前面パネル３１を通して視認可能になる。
【００２０】
そして、パチンコ球と呼ばれる球が受皿３２に入れられ、発射操作機構３３が人為的に操作されると、発射機構２８が受皿３２から供給口３４を経由して発射機構２８に取り込まれた球を発射操作機構３３の操作量に応じた発射力で１個ずつ遊技領域の上部に向けて発射する。遊技領域の上部に到達した球が、遊技領域を流下する過程において、遊技領域における図外の入賞部品に入賞すると、払出機構３が遊技者への賞球としての球を払い出す。払出機構３から払い出された球は、球通路３６から取入口３５を経由して受皿３２に払い出される。
【産業上の利用可能性】
【００２１】
図１において、払出機構３がタンク２の左端部に設けられ、タンク２の底面４が球を右から左に向けて流下させるというように、球を球入口８に向けて流下させる斜面を構成してもよい。
【００２２】
図２において、遊技機はパチンコ遊技機に限定されるものではなくスロットマシンでもよい。つまり、遊技盤を図柄表示器に置換し、発射操作機構３３を球取込操作機構に置換し、球発射機構を球取込機構に置換し、遊技開始操作機構および図柄停止操作機構を上扉２４の前部または下扉２５の前部に設ければ、球払出装置１はスロットマシンにも適用できる。上扉２４および下扉２５が前扉として一体に構成されてもよい。
【００２３】
図３は、発明を実施するための異なる形態に係る遊技機の球払出装置１を示す。図３の球払出装置１が図２の球払出装置１と異なる構造は次のとおりである。図３のａ図において、球出口１０および庇１１が収容部９の前部に設けられ、払出体１２の払出軸１５が前後方向に直線的に延びる丸棒により構成され、螺旋体１６が払出軸１５の前後方向に延びる軸心と平行な方向に球を１個ずつ分離する間隔で払出軸１５の外周面から径方向外側に螺旋形状に突出し、鉛直面７が収容部９の右に設けられ、球入口８の左に底面４が配置される。
【００２４】
よって、図３のｂ図に示すように、球入口８の右には底面４が配置されることなく鉛直面７が配置された構造であるので、球Ｐ１が払出体１２によって収容部９の押出側部分９Ａから上方に押し出されて球Ｐ２を矢印Ｘ５で示すように押し上げ、当該球Ｐ２が隣接する球Ｐ３を矢印Ｘ６で示すように左から右に押すと、当該Ｐ３が鉛直面７に受け止められてそれ以上後に逃げることができない。つまり、払出体１２によって収容部９の押出側部分９Ａから上方に押し出された球が鉛直面７に受け止められて鉛直面７から収容部９の引込側部分９Ｂに取り込まれ、払出体１２による攪拌の及ぶ範囲が狭くなるから、収容部９に球詰まりが発生しにくく、払出モータ１３の負担が軽減され、払出体１２が球を円滑に払い出すことができるという利点がある。
【００２５】
図１および図３において、図示は省略したが、タンク２に球抜機構や球切検出機構を設けてもよい。球抜機構は、タンク２から下方に球を抜き取る開口を開閉する機構である。球切検出機構は、タンク２における球の貯蔵量が球切れ以下に減少した信号としての例えば球切信号を図外の払出発射制御装置に出力する機構である。
【図面の簡単な説明】
【００２６】
【図１】ａ図は球払出装置の平面図、ｂ図はａ図のＡ−Ａ線断面図（最良の形態）。
【図２】パチンコ遊技機における遊技機枠の斜視図（最良の形態）。
【図３】ａ図は球払出装置の平面図、ｂ図はａ図のＢ−Ｂ線断面図（異なる形態）。
【図４】ａ図は球払出装置の平面図、ｂ図はａ図のＣ−Ｃ線断面図（従来）。
【符号の説明】
【００２７】
１は球払出装置、２はタンク、３は払出機構、４は底面、５は障壁、６は斜面、７は鉛直面、８は球入口、９は収容部、９Ａは押出側部分、９Ｂは引込側部分、１０は球出口、１１は庇、１２は払出体、１３は払出モータ、１４は筐体、１５は払出軸、１６は螺旋体、１７乃至２０は欠番、２１は遊技機枠、２２は固定枠、２３は可動枠、２４は上扉、２５は下扉、２６はヒンジ、２７は盤設置構造体、２８は発射機構、２９はヒンジ、３０は窓、３１は前面パネル、３２は受皿、３３は発射操作機構、３４は供給口、３５は取入口、３６は球通路。
【図１】
2008246108.tif 000003
【図２】
2008246108.tif 000004
【図３】
2008246108.tif 000005
【図４】
2008246108.tif 000006